(57)【要約】【課題】ガス栓の閉状態にて、操作つまみ(2)を回動阻止状態にロックするロック機構部(100)が備えられているガス栓のロック構造に関し、ガス栓の開状態にて、ロック機構部(100)のロックネジ(1)が脱落する不都合を防止すること。【解決手段】操作つまみ(2)又はガス栓本体(30)の筒状部(32)のどちらか一方に、ロックネジ収容ネジ孔(10)を、どちらか他方に係合凹部(11)を設け、ロックネジ収容ネジ孔(10)又は係合凹部(11)のどちらか一方の奥側に、前記どちらか一方よりも小径で且つロックネジ(1)を螺合操作可能な操作孔(13)を連続して設け、ガス栓の開状態にて、ロックネジ収容ネジ孔(10)に螺合収容しているロックネジ(1)を抜け止め状態に保持するネジ受け面(12a)を有する鍔部(12)を設けたこと。【選択図】図３
2018076904.tif 000002
【特許請求の範囲】
【請求項１】
ガス流路を開閉するせんが収容されているせん収容部の開放端側に、筒状部が連設された構成のガス栓本体と、
前記筒状部に相対回動可能に嵌合し、前記せんを回動操作する操作つまみとからなるガス栓のロック構造であって、
前記せんでガス流路を閉塞させたガス栓の閉状態にて、前記操作つまみを回動阻止状態にロックするロックネジを有するロック機構部が備えられているガス栓のロック構造において、
前記ロック機構部は、前記操作つまみと前記ガス栓本体の筒状部との嵌合部の外側に設けられ、
前記操作つまみ又は筒状部のどちらか一方に設けられ且つ、操作つまみの回動軸の方向にロックネジが螺合可能なロックネジ収容ネジ孔と、
前記操作つまみ又は筒状部のどちらか他方に設けられ且つ、前記ガス栓の閉状態にて前記ロックネジ収容ネジ孔から進出させたロックネジの一部が係合可能な係合凹部とからなり、
前記ロックネジ収容ネジ孔又は係合凹部のどちらか一方の奥側に、前記どちらか一方よりも小径で且つ前記ロックネジを螺合操作可能な操作孔が連続して形成され、
前記せんでガス流路を開通させたガス栓の開状態にて、ロックネジ収容ネジ孔に螺合収容されているロックネジを抜け止め状態に保持するネジ受け面を有する鍔部が設けられているガス栓のロック構造。
【請求項２】
請求項１に記載のガス栓のロック構造において、
前記鍔部は、前記ガス栓本体の筒状部の外周面に沿って環状に突設され、
前記係合凹部は、前記鍔部の所定個所に前記ネジ受け面に開放するように設けられ、
前記ロックネジ収容ネジ部は、前記ネジ受け面に対向する操作つまみの端面に開放するように設けられ、
前記操作孔は、前記ロックネジ収容ネジ部の奥に連続すると共に前記操作つまみの頂面に開放するように形成されているガス栓のロック構造。
【請求項３】
請求項１に記載のガス栓のロック構造において、
前記鍔部は、前記ガス栓本体の筒状部の外周面に沿って環状に突設され、
前記係合凹部は、前記鍔部の所定個所に前記ネジ受け面に開放するように設けられ、
前記ロックネジ収容ネジ部は、前記ネジ受け面に対向する操作つまみの端面に開放するように設けられ、
前記操作孔は、前記係合凹部の奥に連続し且つ前記鍔部の他面に開放するように形成されているガス栓のロック構造。
【請求項４】
請求項１に記載のガス栓のロック構造において、
前記鍔部は、前記操作つまみの外周面に沿って環状に突設され、
前記係合凹部は、前記鍔部の所定個所に、前記ネジ受け面に開放するように設けられ、
前記ロックネジ収容ネジ部は、前記ネジ受け面に対向するガス栓本体の筒状部の端面に開放するように設けられ、
前記操作孔は、前記係合凹部の奥に連続すると共に前記操作つまみの頂面に開放するように形成されているガス栓のロック構造。
【請求項５】
請求項１に記載のガス栓のロック構造において、
前記鍔部は、前記操作つまみの外周面に沿って環状に突設され、
前記係合凹部は、前記鍔部の所定個所に、前記ネジ受け面に開放するように設けられ、
前記ロックネジ収容ネジ部は、前記ネジ受け面に対向するガス栓本体の筒状部の端面に開放するように設けられ、
前記操作孔は、前記ロックネジ収容ネジ部の奥に連続し且つ前記筒状部の他の端面に開放するように形成されているガス栓のロック構造。
【請求項６】
請求項２又は請求項４に記載のガス栓のロック構造において、
前記操作孔に着脱自在に挿入可能な凸部と、前記操作つまみの直径に沿って配されるブリッジ部とを備えたキャップ体が設けられ、
前記キャップ体は、前記凸部形成側の先端がガス流路の下流端側に位置し且つ、前記ブリッジ部が操作つまみの頂面に装着されているガス栓のロック構造。
【発明の詳細な説明】
【技術分野】
【０００１】
本発明は、ガス栓のロック構造、特に、ガス栓を閉状態でロックするガス栓のロック構造に関する。
【背景技術】
【０００２】
一般にガス栓は、ガス流路に連通するせん収容部とその上方に連続する筒状部とからなるガス栓本体と、前記せん収容部内に回動自在に収容されて前記ガス流路を連通又は閉塞させるせんと、前記筒状部に回動自在に嵌合して前記せんを回動操作する操作つまみとからなり、特に、屋外に設置されるガスメータ用のガス栓では、不使用時に、せん収容部内で閉状態に位置しているせんが、いたずら等によって、不用意に開状態とならないように、ガス栓の閉状態にて、操作つまみを回動阻止状態にロックさせるロック機構部が設けられている。
【０００３】
ロック機構部としては、ガス流路が閉塞される方向にせんを回動させた状態（ガス栓の閉状態）にて、操作つまみを回動阻止状態にロックするロックネジと、ロックネジが螺合された状態で収容されるロックネジ収容ネジ孔と、前記ロックネジ収容ネジ孔から進出させたロックネジの一部が係合する係合孔とからなるものが知られている。
例えば、特許文献１のガス栓では、ガス栓本体の筒状部の外周面よりも外側に位置する操作つまみの下面の所定個所に、前記ロックネジ収容ネジ孔が下方に開放するように設けられ、前記ガス栓の閉状態にて、前記ロックネジ収容ネジ孔の下方に、前記係合孔が配設されるように、前記係合孔が上下に貫通する凸部をガス栓本体の筒状部の外周面から突設させている。
上記従来のロック機構部で、ガス栓の閉状態における操作つまみを回動阻止状態にロックさせるには、前記ロックネジ収容ネジ孔に対向している係合孔の下方開放端から特殊工具を差し入れて、前記ロックネジ収容ネジ孔に螺合させているロックネジを緩めて、ロックネジの一部を、前記ロックネジ収容ネジ孔から係合孔内へ進出させる。この状態で、操作つまみを回動させようとしても、操作つまみの下面から突出するロックネジが、ガス栓本体の筒状部に突設させた凸部の係合孔に係合することとなるため、操作つまみの回動は阻止される。これにより、ガス栓は閉状態に保持される。
【０００４】
なお、上記従来のロック機構部を構成している前記係合孔の下方開放端近傍域には、ロックネジの径よりも小さな小径穴を設けたり、前記係合孔に直交するように凸部に設けた封印穴に針金等を挿通させたりすることにより、ロック状態にあるロックネジは係合孔を介して下方へ落下せず、抜け止め状態に保持されている。また、ロックネジは特殊工具でないと、締め付けたり緩めたりできないから、いたずらで上記ロックネジを締め付けてロック状態を解除することはできない。
【先行技術文献】
【特許文献】
【０００５】
【特許文献１】実公平２−２８３０８号公報
【発明の概要】
【発明が解決しようとする課題】
【０００６】
しかしながら、上記従来技術のものでは、ロックネジを締め付けてロックネジの略全体をロックネジ収容ネジ孔内に収容することで、上記ロック状態を解除して、操作つまみを、ガス栓の開方向へ回動させると、操作つまみのロックネジ収容ネジ孔の下方には、上記した凸部に相当するような突出部分は存在しないから、ロックネジのロックネジ収容ネジ孔への螺合度合いが緩むと、ロックネジがロックネジ収容ネジ孔から脱落してしまう不都合がある。
【０００７】
本発明は、かかる点に鑑みてなされたものであり、『ガス流路を開閉するせんが収容されているせん収容部の開放端側に、筒状部が連設された構成のガス栓本体と、
前記筒状部に相対回動可能に嵌合し、前記せんを回動操作する操作つまみとからなるガス栓のロック構造であって、
前記せんでガス流路を閉塞させたガス栓の閉状態にて、前記操作つまみを回動阻止状態にロックするロックネジを有するロック機構部が備えられているガス栓のロック構造』において、
前記操作つまみを回動させてガス流路を開通させたガス栓の開状態にて、前記ロック機構部からロックネジが脱落する不都合を防止することを課題とする。
【課題を解決するための手段】
【０００８】
上記課題を解決するための技術的手段は、『前記ロック機構部は、前記操作つまみと前記ガス栓本体の筒状部との嵌合部の外側に設けられ、
前記操作つまみ又は筒状部のどちらか一方に設けられ且つ、操作つまみの回動軸の方向にロックネジが螺合可能なロックネジ収容ネジ孔と、
前記操作つまみ又は筒状部のどちらか他方に設けられ且つ、前記ガス栓の閉状態にて前記ロックネジ収容ネジ孔から進出させたロックネジの一部が係合可能な係合凹部とからなり、
前記ロックネジ収容ネジ孔又は係合凹部のどちらか一方の奥側に、前記どちらか一方よりも小径で且つ前記ロックネジを螺合操作可能な操作孔が連続して形成され、
前記せんでガス流路を開通させたガス栓の開状態にて、ロックネジ収容ネジ孔に螺合収容されているロックネジを抜け止め状態に保持するネジ受け面を有する鍔部が設けられている』ことである。
【０００９】
上記技術的手段は次のように作用する。
ロック機構部は、操作つまみの回動軸の方向に沿ったロックネジ収容ネジ孔と係合凹部と、両者に螺合又は係合可能なロックネジとからなり、操作つまみとガス栓本体の筒状部との嵌合部の外側に位置するように設けられている。ガス栓の閉状態にて、ロックネジ収容ネジ孔は係合凹部に対向し、ロックネジ収容ネジ孔に螺合されているロックネジのロックネジ収容ネジ孔からの進出部分を係合凹部に係合させれば、操作つまみの回動はロックネジによって阻止され、ガス栓は閉状態にロックされた状態に保持される。
そして、前記ロックネジ収容ネジ孔又は係合凹部のどちらか一方に連続するように形成されている操作孔に、例えば、前記ロックネジを螺合操作可能な工具を差し入れて、ロックネジがロックネジ収容ネジ孔に収容される方向へ螺合操作することにより、係合凹部からロックネジを退出させる。これにより、ロックネジの係合凹部への係合が外れるから、操作つまみのロック状態は解除され、操作つまみは、開方向へ回動自在となって、ガス栓を開状態とすることが出来る。
ガス栓の開状態において、ロックネジ収容ネジ孔に螺合収容されているロックネジは、鍔部のネジ受け面で抜け止め状態に保持される態様となるから、ロックネジの螺合度合いが緩んできても、ロックネジがロックネジ収容ネジ孔から脱落してしまう不都合はない。
【００１０】
上記ガス栓のロック構造において、好ましくは、『前記鍔部は、前記ガス栓本体の筒状部の外周面に沿って環状に突設され、
前記係合凹部は、前記鍔部の所定個所に前記ネジ受け面に開放するように設けられ、
前記ロックネジ収容ネジ部は、前記ネジ受け面に対向する操作つまみの端面に開放するように設けられ、
前記操作孔は、前記ロックネジ収容ネジ部の奥に連続すると共に前記操作つまみの頂面に開放するように形成されている』ことである。
操作つまみに設けたロックネジ収容ネジ部に、ロックネジを、操作つまみの前記端面側から螺合しながら挿入し、そのほぼ全体をロックネジ収容ネジ孔に収容させ、この状態でガス栓を組み立てる。ロックネジはロックネジ収容ネジ孔にほぼ全体が収容された状態にあるから、操作つまみは回動自在であり、せんでガス栓を開閉することができる。
ガス栓の開状態を含む操作つまみの回動範囲には、環状の鍔部が、ガス栓本体の筒状部の外周面に沿って突設されており、ロックネジ収容ネジ部は鍔部のネジ受け面に向かって開放しているから、ロックネジ収容ネジ孔に螺合収容されているロックネジの螺合度合いが緩んでも、ロックネジは、鍔部のネジ受け面で抜け止め状態に保持され、ロックネジがロックネジ収容ネジ孔から脱落することはない。
操作つまみを回動させて、ガス栓の閉状態としたとき、ロックネジ収容ネジ孔に対応する鍔部には、係合凹部が開放するように設定されているから、前記操作つまみの頂面側から操作孔に工具を挿入して、ロックネジを締め付け方向に螺合操作すれば、ロックネジはロックネジ収容ネジ孔から進出して係合凹部に係合し、操作つまみを回動阻止状態にロックすることが出来る。
操作つまみのロック状態を解除するには、再度操作孔から工具を差し入れて、ロックネジを緩める方向に螺合操作すれば、ロックネジはロックネジ収容ネジ孔内へ退出し、ロックネジと係合凹部との係合を解除させればよい。
【００１１】
上記ガス栓のロック構造において、好ましくは、『前記鍔部は、前記ガス栓本体の筒状部の外周面に沿って環状に突設され、
前記係合凹部は、前記鍔部の所定個所に前記ネジ受け面に開放するように設けられ、
前記ロックネジ収容ネジ部は、前記ネジ受け面に対向する操作つまみの端面に開放するように設けられ、
前記操作孔は、前記係合凹部の奥に連続し且つ前記鍔部の他面に開放するように形成されている』ことである。
このものでは、鍔部の前記ネジ受け面の反対側の他面から操作孔に工具を挿入し、ロックネジを緩める方向に螺合操作すれば、ロックネジはロックネジ収容ネジ孔から進出して係合凹部に係合し、操作つまみを回動阻止状態にロックすることが出来る。
操作つまみのロック状態を解除するには、再度操作孔から工具を差し入れて、ロックネジを締め付け方向に螺合操作すれば、ロックネジは係合凹部からロックネジ収容ネジ孔内へ退出し、ロックネジと係合凹部との係合を解除することが出来る。
【００１２】
上記ガス栓のロック構造において、好ましくは、『前記鍔部は、前記操作つまみの外周面に沿って環状に突設され、
前記係合凹部は、前記鍔部の所定個所に、前記ネジ受け面に開放するように設けられ、
前記ロックネジ収容ネジ部は、前記ネジ受け面に対向するガス栓本体の筒状部の端面に開放するように設けられ、
前記操作孔は、前記係合凹部の奥に連続すると共に前記操作つまみの頂面に開放するように形成されている』ことである。
【００１３】
ロックネジ収容ネジ部はガス栓本体の筒状部に、鍔部と係合凹部は操作つまみに設けられており、ロックネジをガス栓本体側のロックネジ収容ネジ部内にほぼ全体が収容されるように螺合させた状態で、ガス栓を組み立てる。この状態においては、操作つまみは筒状部に対して回動自在であり、ロックネジ収容ネジ部に螺合収容されているロックネジの進出方向には、操作つまみの外周面に突設させた鍔部が張り出している。これにより、ロックネジは、鍔部のネジ受け面によって、ロックネジ収容ネジ部に抜け止め状態に保持される。
操作つまみの頂面に開放する操作孔から工具を挿入させて、ロックネジを緩める方向に螺合操作すれば、ロックネジはロックネジ収容ネジ孔から進出して係合凹部に係合し、操作つまみを回動阻止状態にロックすることが出来る。
操作つまみのロック状態を解除するには、再度操作孔から工具を差し入れて、ロックネジを締め付け方向に螺合操作すれば、ロックネジは係合凹部からロックネジ収容ネジ孔内へ退出し、ロックネジと係合凹部との係合は解除される。
【００１４】
上記ガス栓のロック構造において、好ましくは、『前記鍔部は、前記操作つまみの外周面に沿って環状に突設され、
前記係合凹部は、前記鍔部の所定個所に、前記ネジ受け面に開放するように設けられ、
前記ロックネジ収容ネジ部は、前記ネジ受け面に対向するガス栓本体の筒状部の端面に開放するように設けられ、
前記操作孔は、前記ロックネジ収容ネジ部の奥に連続し且つ前記筒状部の他の端面に開放するように形成されている』ことである。
このものでは、ガス栓本体の筒状部に設けたロックネジ収容ネジ部の開放端面の反対側の端面に開放している操作孔に工具を挿入し、ロックネジを締め付ける方向に螺合操作すれば、ロックネジはロックネジ収容ネジ孔から進出して係合凹部に係合し、操作つまみを回動阻止状態にロックすることが出来る。
操作つまみのロック状態を解除するには、再度操作孔から工具を差し入れて、ロックネジを緩める方向に螺合操作すれば、ロックネジは係合凹部からロックネジ収容ネジ孔内へ退出し、ロックネジと係合凹部との係合を解除することが出来る。
【００１５】
上記ガス栓のロック構造において、好ましくは、『前記操作孔に着脱自在に挿入可能な凸部と、前記操作つまみの直径に沿って配されるブリッジ部とを備えたキャップ体が設けられ、
前記キャップ体は、前記凸部形成側の先端がガス流路の下流端側に位置し、且つ、前記ブリッジ部が操作つまみの頂面に装着されている』ことである。
凸部を操作孔に挿入させることにより、操作つまみの頂面に開放させた操作孔に、水滴や埃等が入り込む不都合を防止できる。また、ブリッジ部を操作つまみの頂面に載置するようにキャップ部を操作つまみに設置したとき、凸部が形成されている側の先端が、ガス栓本体内におけるガス流路の下流端としたから、ガス栓の開閉状態及びガス流路の下流端の位置を容易に確認することが出来る。
【発明の効果】
【００１６】
本発明は、上記構成であるから次の特有の効果を有する。
ロック機構部を構成しているロックネジ収容ネジ孔と係合凹部は、操作つまみとガス栓本体の筒状部との嵌合部の外側に設けられているから、これらに螺合挿入されるロックネジがガス栓本体を内外に貫通しないので、ロック機構部を介して、ガス栓本体内に雨水等の水滴や塵芥等が入り込むことがない。
また、ロックネジのほぼ全体をロックネジ収容ネジ孔に螺合収容した状態でガス栓が組み付けられ、組み付け状態では、ロックネジは取り外すことが出来ない構造であるから、ロックネジの抜け止め部材が不要である。
【００１７】
また、ガス栓の開状態にて、ロックネジ収容ネジ孔に螺合収容されているロックネジの螺合状態が緩んできても、ロックネジの進出を阻止する位置に、鍔部が突設されているから、ロックネジが不用意にロックネジ収容ネジ孔から脱落することはなく、ロックネジを紛失してしまう不都合はない。
また、ガス栓の閉状態にて、ロックネジによる操作つまみのロック状態を解除するためには操作孔から差し込んでロックネジを締め付け又は緩めることができる工具が必要であり、前記操作孔も小径に設けられているから、専門業者以外の者は、ロックネジをロックしたりロック解除したりすることは出来ない。よって、操作つまみが、いたずら等により、不用意にロックされたりロック状態が解除されたるする不都合はない。
【００１８】
また、操作孔を係合凹部の奥に連続して設ける構成としたものでは、ガス栓を閉状態として、ロックネジ収容ネジ孔と係合凹部とを対応させないと、操作孔からロックネジを螺合操作できないから、ロック操作を間違うことがなく、安全性の高いガス栓となる。
また、操作孔が操作つまみの頂面に開放する構造としたものでは、操作つまみが壁面に沿って位置するようにガス栓が取り付けられている場合に、ロックネジの操作を容易に行うことが出来る。
【図面の簡単な説明】
【００１９】
【図１】本発明の第１番目の実施の形態のガス栓のロック構造が採用されるガス栓の閉状態を示す断面図である。
【図２】本発明の第１番目の実施の形態のガス栓のロック構造が採用されるガス栓の閉状態を示す斜視図である。
【図３】本発明の第１番目の実施の形態のガス栓のロック構造のロック状態を示す要部拡大断面図である。
【図４】本発明の第１番目の実施の形態のガス栓のロック構造のロック状態を示す斜視図である。
【図５】本発明の第１番目の実施の形態のガス栓のロック構造のロック解除状態を示す要部拡大断面図である。
【図６】本発明の第１番目の実施の形態のガス栓のロック構造が採用されるガス栓の開状態を示す斜視図である。
【図７】本発明の第１番目の実施の形態のガス栓のロック構造が採用されるガス栓の操作つまみに設けるキャップ体の斜視図である。
【図８】本発明の第２番目の実施の形態のガス栓のロック構造のロック状態を示す要部拡大断面図である。
【図９】本発明の第２番目の実施の形態のガス栓のロック構造のロック状態を示す斜視図である。
【図１０】本発明の第２番目の実施の形態のガス栓のロック構造が採用されるガス栓の開状態を示す斜視図である。
【図１１】本発明の第３番目の実施の形態のガス栓のロック構造のロック解除状態を示す要部拡大断面図である。
【図１２】本発明の第３番目の実施の形態のガス栓のロック構造が採用されるガス栓の開状態を示す斜視図である。
【図１３】本発明の第３番目の実施の形態のガス栓のロック構造のロック解除状態を示す要部拡大断面図である。
【図１４】本発明の第３番目の実施の形態のガス栓のロック構造が採用されるガス栓の閉状態を示す斜視図である。
【図１５】本発明の第４番目の実施の形態のガス栓のロック構造のロック解除状態を示す要部拡大断面図である。
【図１６】本発明の第４番目の実施の形態のガス栓のロック構造のロック状態を示す要部拡大断面図である。
【発明を実施するための形態】
【００２０】
以下に、本発明を実施するための最良の形態について添付図面を参照しながら説明する。
この実施の形態は、本発明のガス栓を、所謂、メータガス栓として実施したものである。図１及び図２に示すように、ガス栓本体(30)の、図面における下方にガス入口筒部(30a)が開放し、側方にガス出口部(30b)が開放するように形成されているもので、両者を繋ぐ略Ｌ字状のガス通路に設けられたせん収容部(31)には、同様な略Ｌ字状のガス通過孔(33)を有する略円錐台形のせん(3)が収容されている。なお、せん収容部(31)の上方には、筒状部(32)が上方に開放するように連設されており、この筒状部(32)に、せん(3)を回動操作するための操作つまみ(2)が、相対回動自在で且つ抜け止め状態に取り付けられる。
【００２１】
図１及び図２は、第１番目の実施の形態のガス栓のロック構造を具備させたガス栓の閉状態を表しており、この状態から、操作つまみ(2)を反時計方向に９０度回動させると、せん(3)も同方向に回動し、ガス栓本体(30)のガス入口筒部(30a)とガス出口部(30b)が、せん(3)に形成されたガス通過孔(33)を介して連通するガス栓の開状態となる。
操作つまみ(2)の頂面には、その直径に沿って、つまみ部(25)が設けられており、つまみ部(25)の向きは、同図のガス栓の閉状態においては、ガス出口部(30b)の方向に対して直角に位置し、ガス栓の開状態においては、ガス出口部(30b)と平行に位置する構成とすることで、つまみ部(25)の向きで、ガス栓の開閉を確認することが出来る。
【００２２】
図１に示すように、ガス栓本体(30)の筒状部(32)の上端面には、環状凸部(34)が突設されており、操作つまみ(2)の下面の、環状凸部(34)に対応する位置には、環状凹溝(24)が形成されており、環状凸部(34)に環状凹溝(24)が嵌め込まれた嵌合部より外側に、操作つまみ(2)を回動阻止状態でロックするロック機構部(100)が設けられる。
【００２３】
図３は、図１及び図２に示すガス栓から、後述するキャップ体(20)を取り外した状態の要部拡大断面図であり、図４は、第１番目の実施の形態のロック機構部(100)を示す下方から見た斜視図である。
ロック機構部(100)は、操作つまみ(2)の環状凹溝(24)よりも外側に位置するつまみ部(25)の一端に、下方に開放するように形成されたロックネジ収容ネジ孔(10)と、これに螺合収容されるロックネジ(1)と、ガス栓本体(30)の筒状部(32)の上端から外方に張り出させた鍔部(12)と、鍔部(12)の上面となるネジ受け面(12a)に開放し且つロックネジ(1)の下端が挿入可能な係合凹部(11)とからなり、ロックネジ収容ネジ孔(10)の上方には、ロックネジ収容ネジ孔(10)より小径な操作孔(13)がつまみ部(25)の頂面に開放するように形成されている。
なお、図1及び図２に示したガス栓の閉状態において、ロックネジ収容ネジ孔(10)の下方開放端に、鍔部(12)の係合凹部(11)が対応する位置関係に設定されている。
【００２４】
このものでは、図５に示すように、ロックネジ(1)をロックネジ収容ネジ孔(10)内に螺合収容させた状態で、操作つまみ(2)をガス栓本体(30)の筒状部(32)に回動自在で且つ抜け止め状態に組み付ける。
ガス栓の使用時、すなわち、ガス栓の開状態においては、図６に示すように、つまみ部(25)の一端がガス出口部(30b)に向く姿勢となっており、この状態では、つまみ部(25)の下方に開放するように設けたロックネジ収容ネジ孔(10)内に螺合収容されているロックネジ(1)の下方には、筒状部(32)から張り出させた鍔部(12)のネジ受け面(12a)が位置する態様となっているため、万一、ロックネジ収容ネジ孔(10)への螺合度合いが緩んでも、ロックネジ(1)はロックネジ収容ネジ孔(10)に対して抜け止め状態に保持され、ロックネジ収容ネジ孔(10)から落下する不都合はない。
【００２５】
ガス栓の不使用時には、図６の状態から、操作つまみ(2)を時計回りに９０度回動させれば、図１〜図５に示す、ガス栓の閉状態となる。
この状態にて、ロックネジ収容ネジ孔(10)の下方開放端と鍔部(12)に形成した係合凹部(11)とが対向するように設定されているから、ロックネジ収容ネジ孔(10)の上方に連続している操作孔(13)に、ロックネジ(1)の頭部の工具対応部に対応する工具（図示せず）を挿入させて、ロックネジ(1)を締め付け方向に螺合させる。これにより、ロックネジ(1)は、締め付けに伴って下方へ下がっていき、ロックネジ(1)の下端が操作つまみ(2)の下面から突出し、鍔部(12)の係合凹部(11)に挿入される。
係合凹部(11)の大きさは、図４に示すように、ロックネジ(1)の下端がちょうど挿入可能な大きさとしてあるから、ロックネジ(1)を係合凹部(11)に挿入させると、ロックネジ(1)は係合凹部(11)内にて周方向に係合された状態となり、操作つまみ(2)は回動阻止状態に保持されることとなる。
【００２６】
また、操作孔(13)は、ロックネジ収容ネジ孔(10)よりも小径に形成されているため、ロックネジ(1)が操作孔(13)の開放端側からつまみ部(25)の頂面側へ引き抜かれることはなく、また、操作孔(13)に特殊工具を挿入させて、ロックネジ(1)の螺合操作を行う工程は、専門業者以外の者は知り得ないことから、ロックネジ(1)が、いたずら等によりロックネジ収容ネジ孔(10)内に螺合収容されたり、係合凹部(11)に係合状態となることはない。よって、操作つまみ(2)が不用意にロックされたりロック状態が解除されたるすることはない。
【００２７】
さらに、操作孔(13)に、図１に示すように、凸部(23)を挿入させておけば、ロックネジ(1)の螺合状態を確実に保持することが出来ると共に、操作孔(13)の開放端から、雨水や塵芥等が浸入する不都合も防止することが出来る。
凸部(23)は、図７に示すような、キャップ体(20)を構成するブリッジ部(21)の一端(21a)の下面に突設されており、ブリッジ部(21)の他端(21b)は三角形状に突出させた形状となっていると共に、その下面には固定部(22)が突設されている。
つまみ部(25)のうち、ロック機構部(100)が設けられていない側の他方の端部の頂面には、図５に示すように、前記他端(21b)が収容可能な三角形状の凹み部(26)とそれに連続する差込孔(27)が形成されている。
キャップ体(20)は、前記三角形状のブリッジ部(21)の他端(21b)がガス流路の下流端側を指すように、ブリッジ部(21)を操作つまみ(2)のつまみ部(25)の頂面に載置させると共に、固定部(22)を差込孔(27)に差し込んで固定させる。
操作孔(13)に工具を差し込んでロックネジ(1)の螺合操作を行う場合には、凸部(23)を操作孔(13)から抜き取って操作孔(13)を開放させればよい。
【００２８】
図８から図１０は、第２番目の実施の形態のガス栓のロック構造の説明図であり、図８は、ガス栓の閉状態を表した要部拡大断面図であり、図９はその要部拡大斜視図であり、図１０は、ガス栓の開状態における斜視図である。
【００２９】
ロック機構部(100)は、第１番目の実施の形態と同様に、ガス栓本体(30)の環状凸部(34)と、操作つまみ(2)の環状凹溝(24)との嵌合部よりも外側に位置するつまみ部(25)の一端に設けられ、つまみ部(25)にロックネジ収容ネジ孔(10)が下方開放状態に形成されている。ガス栓本体(30)の筒状部(32)の上端には、鍔部(12)が張り出していると共に、ガス栓の閉状態にて、ロックネジ収容ネジ孔(10)の下方開放端が対向する鍔部(12)のネジ受け面(12a)に開放するように、ロックネジ収容ネジ孔(10)に螺合させたロックネジ(1)の下端が挿入可能な係合凹部(11)が形成されている。係合凹部(11)には、図９に示すように、ロックネジ(1)の頭部が収容される態様となっており、係合凹部(11)に挿入された状態のロックネジ(1)を螺合操作するための操作孔(13)は、係合凹部(11)の下方に連続するように、筒状部(32)の外周面に溝状に形成されている。
【００３０】
この第２番目の実施の形態のロック構造では、ロックネジ収容ネジ孔(10)内に螺合収容されているロックネジ(1)は、操作つまみ(2)の下方から、操作孔(13)に差し入れられた工具によって螺合操作可能となっており、図８及び図９に示したように、ガス栓を閉状態とすると共に、ロックネジ(1)を緩める方向へ螺合させて、ロックネジ(1)をロックネジ収容ネジ孔(10)から進出させて、その頭部を係合凹部(11)への係合させると、操作つまみ(2)は回動阻止状態にロックされた状態となり、閉状態が保持される。
この状態から、操作つまみ(2)の下方から操作孔(13)へ工具を差し入れて、ロックネジ(1)を締め付け方向に螺合させれば、ロックネジ(1)はロックネジ収容ネジ孔(10)内に螺合収容されていき、係合凹部(11)との係合が外れた時点で、操作つまみ(2)のロック状態は解除され、操作つまみ(2)は回動自在となる。
この状態で、操作つまみ(2)を９０度回動させれば、ガス栓を開状態とすることができ、この状態にて、図１０に示すように、ロックネジ(1)の下方には、鍔部(12)のネジ受け面(12a)が位置して、ロックネジ(1)のロックネジ収容ネジ孔(10)からの落下を防止している。
【００３１】
図１１から図１４に示すものは、第３番目の実施の形態のガス栓のロック構造の説明図であり、このロック構造を構成しているロック機構部(100)を構成しているロックネジ(1)を螺合収容させるロックネジ収容ネジ孔(10)はガス栓本体(30)の筒状部(32)に上方に開放するように設けられ、鍔部(12)及び係合凹部(11)、さらには、操作孔(13)は、操作つまみ(2)に設ける構成としたものである。
図１２及び図１４に示すように、操作つまみ(2)の頂面に直径方向に設けられているつまみ部(25)の一端の下面(25a)を、鍔部(12)のネジ受け面(12a)と面一となるように外方に張り出させて、その下面(25a)に開放するように係合凹部(11)を形成する。そして、ガス栓の閉状態にて、係合凹部(11)が対向する個所に、ガス栓本体(30)の筒状部(32)の外周面から隆起部(35)を突設させ、この隆起部(35)に、上方に開放するロックネジ収容ネジ孔(10)を形成する。
【００３２】
このものでは、操作つまみ(2)のつまみ部(25)の頂面に開放させた操作孔(13)から工具を差し入れて、ロックネジ(1)を螺合操作するものであり、図１１及び図１２に示すように、ロックネジ収容ネジ孔(10)内にロックネジ(1)のほぼ全体が螺合収容されているガス栓の開状態から、操作つまみ(2)を９０度回動させて、図１３及び図１４に示すように、操作孔(13)及びその下方に連続する係合凹部(11)が形成されているつまみ部(25)の一端を、 ガス栓本体(30)の筒状部(32)に設けた(35)に合わせて、操作孔(13)から差し込んだ工具で、ロックネジ(1)を緩める方向に螺合させれば、ロックネジ(1)はロックネジ収容ネジ孔(10)から操作つまみ(2)のつまみ部(25)の下面(25a)に開放している係合凹部(11)内に進出し、操作つまみ(2)を回動阻止状態にロックすることが出来る。
尚、操作孔(13)は係合凹部(11)よりも小径に形成されているから、ロックネジ(1)を進出させ過ぎることはない。
【００３３】
この状態から、前記工具によって、ロックネジ(1)を締め付け方向に螺合させれば、ロックネジ(1)は、図１１に示すように、ロックネジ収容ネジ孔(10)内にほぼ全体が螺合収容されることとなり、ロックネジ(1)と係合凹部(11)との係合状態が解除されることから、操作つまみ(2)は回動自在となる。このとき、ロックネジ収容ネジ孔(10)の上方には、つまみ部(25)の下面(25a)に続く鍔部(12)のネジ受け面(12a)が位置することから、ロックネジ収容ネジ孔(10)内のロックネジ(1)は抜け止め状態に保持されることとなる。
【００３４】
図１５及び図１６は、第４番目の実施の形態のガス栓のロック構造の説明図であり、このロック機構部(100)も、上記した第３番目の実施の形態と同様、ロックネジ(1)を螺合収容させるロックネジ収容ネジ孔(10)をガス栓本体(30)の筒状部(32)に設けた隆起部(35)に、係合凹部(11)及び鍔部(12)を操作つまみ(2)に設ける構成であるが、ロックネジ(1)の螺合度合いを調節する工具を差し込む操作孔(13)は、ロックネジ収容ネジ孔(10)の下方に連続する様に、隆起部(35)に、下方開放状態に設けている。
このものでは、ロックネジ(1)の螺合操作は、ガス栓本体(30)側の隆起部(35)の下方から工具を操作孔(13)内に差し入れて行われ、工具でロックネジ(1)を緩める方向に螺合させると、ロックネジ(1)は、図１５に示すように、ロックネジ収容ネジ孔(10)内へ収容され、操作つまみ(2)は回動自在となる。このとき、ロックネジ(1)の上方には、鍔部(12)のネジ受け面(12a)が位置することとなって、ロックネジ(1)の上方への抜け止めは防止される。
【００３５】
ガス栓を閉状態とすると、ロックネジ収容ネジ孔(10)の上方に係合凹部(11)が位置し、ロックネジ(1)を締め付け方向に螺合させると、ロックネジ(1)はロックネジ収容ネジ孔(10)から上方へ突出させられて、係合凹部(11)に係合する。これにより、操作つまみ(2)は回動阻止状態に保持される。
【００３６】
なお、第３番目の実施の形態のガス栓のロック構造も、操作孔(13)は、操作つまみ(2)のつまみ部(25)の頂面に開放する構成としているため、第１番目の実施の形態で採用した、図７に示す、キャップ体(20)の凸部(23)で操作孔(13)を閉塞しておけばよい。
【００３７】
第１番目と第３番目の実施の形態のガス栓のロック構造のように、操作孔(13)を操作つまみ(2)の上方に開放する構成のものでは、例えば、操作つまみ(2)が壁面やガスメータに沿うようにガス栓を横向きに設置される取付構造でも、操作孔(13)から工具を差し込んで、ロックネジ(1)の螺合操作がやり易い。
また、第２番目と第３番目の実施の形態のガス栓のロック構造のように、操作孔(13)を係合凹部(11)の奥に連続して設ける構成としたものでは、ロックネジ収容ネジ孔(10)と係合凹部(11)とが対応するように、ガス栓を閉状態としないと、操作孔(13)からロックネジ(1)の螺合操作はできないから、ロック操作を間違って行うことはなく、安全性の高いガス栓となる。
さらに、ガス栓の開状態において、ロックネジ(1)は鍔部(12)のネジ受け面(12a)で脱落防止状態に保持されるから、ロックネジ(1)の抜け止めのための他の部材を別途設ける必要もない。
【符号の説明】
【００３８】
(1) ・・・・・・・・・・・ロックネジ
(100) ・・・・・・・・・・ロック機構部
(10)・・・・・・・・・・・ロックネジ収容ネジ孔
(11)・・・・・・・・・・・係合凹部
(12)・・・・・・・・・・・鍔部
(12a) ・・・・・・・・・・ネジ受け面
(13)・・・・・・・・・・・操作孔
(2) ・・・・・・・・・・・操作つまみ
(3) ・・・・・・・・・・・せん
(30)・・・・・・・・・・・ガス栓本体
(31)・・・・・・・・・・・せん収容部
(32)・・・・・・・・・・・筒状部
【図１】
2018076904.tif 000003
【図２】
2018076904.tif 000004
【図３】
2018076904.tif 000005
【図４】
2018076904.tif 000006
【図５】
2018076904.tif 000007
【図６】
2018076904.tif 000008
【図７】
2018076904.tif 000009
【図８】
2018076904.tif 000010
【図９】
2018076904.tif 000011
【図１０】
2018076904.tif 000012
【図１１】
2018076904.tif 000013
【図１２】
2018076904.tif 000014
【図１３】
2018076904.tif 000015
【図１４】
2018076904.tif 000016
【図１５】
2018076904.tif 000017
【図１６】
2018076904.tif 000018